(57)【要約】本発明は、人間などの哺乳類の体温を下げるのに有用な冷却ブランケットを提供する。冷却ブランケットは、心筋梗塞などの有害な心臓の事象に関連して用いられるとき、特に有用であり得る。硝酸アンモニウム、尿素、および／または水などの試薬が互いに接触するように置かれ、それによって吸熱反応を生成するとき、冷却ブランケットは活性化される。冷却ブランケットは、上部層と、下部層と、上部層と下部層との間に形成される少なくとも１つのコンパートメントとを備えている。
2009521283.tif 000002
【特許請求の範囲】
【請求項１】
哺乳動物を冷却する冷却ブランケットであって、
上部層と、
下部層と、
該上部層と該下部層との間に形成される少なくとも１つのコンパートメントであって、該少なくとも１つのコンパートメントは第１の試薬を含む、コンパートメントと
を備えている、冷却ブランケット。
【請求項２】
前記第１の試薬は、硝酸アンモニウム、尿素、水、およびそれらの組合せから成り立つグループから選択される、請求項１に記載の冷却ブランケット。
【請求項３】
前記少なくとも１つのコンパートメントは冷却パックを含む、請求項１に記載の冷却ブランケット。
【請求項４】
前記少なくとも１つのコンパートメントは、前記冷却パックの取外し可能な導入を可能にする外部のクロージャーを備えている、請求項３に記載の冷却ブランケット。
【請求項５】
第２の試薬を保持するブラダであって、前記少なくとも１つのコンパートメントは、該ブラダに隣接する前記冷却ブランケットの内部部分と流体伝達し、該ブラダは、所定量の外部の力が付加されると破裂するように適合され、前記第１の試薬と該第２の試薬とは混合時に吸熱性反応を生成するように適合される、ブラダをさらに備えている、請求項１に記載の冷却ブランケット。
【請求項６】
前記少なくとも１つのコンパートメントは前記第１の試薬を第２の試薬から分離させるシールを備え、該シールは該コンパートメントに所定量の外部の力が付加されると破裂するように適合され、該第１の試薬および該第２の試薬は混合時に吸熱性反応を生成するように適合される、請求項１に記載の冷却ブランケット。
【請求項７】
前記少なくとも１つのコンパートメントは第２の試薬を含む袋を備え、前記第１の試薬は該袋の外に含まれ、該袋は該コンパートメントに所定量の外部の力が付加されると破裂するように適合され、該第１の試薬および該第２の試薬は混合時に吸熱性反応を生成するように適合される、請求項１に記載の冷却ブランケット。
【請求項８】
前記上端層および下端層の各々は少なくとも１つの下層を備えている、請求項１に記載の冷却ブランケット。
【請求項９】
第２の試薬を前記冷却ブランケットに導入することを可能にするように適合された入口弁をさらに備え、前記第１の試薬および該第２の試薬は混合時に吸熱性反応を生成するように適合され、前記少なくとも１つのコンパートメントの各々は、一方向の弁によって少なくとも１つの他のコンパートメントに連結され、該入口弁を介する該第２の試薬の導入は、該少なくとも１つのコンパートメントの各々において、該第１の試薬を該第２の試薬と混合させる、請求項１に記載の冷却ブランケット。
【請求項１０】
哺乳動物の肢または付属物が前記冷却ブランケットを通って延びることを可能にするように適合された少なくとも１つの開口部をさらに備えている、請求項１に記載の冷却ブランケット。
【請求項１１】
哺乳動物の頭を覆うフードをさらに備えている、請求項１に記載の冷却ブランケット。
【請求項１２】
前記冷却ブランケントを別の冷却ブランケットに結合するように適合された結合器具をさらに備えている、請求項１に記載の冷却ブランケット。
【請求項１３】
前記結合器具は、グロメットシステム、タイシステム、ボタンシステム、フックおよびループシステム、ジッパーシステム、ならびにそれらの組合せから成り立つグループから選択される、請求項１２に記載の冷却ブランケット。
【請求項１４】
哺乳動物の首、肢、または付属物において哺乳動物に前記冷却ブランケットを固定するように適合された固定器具をさらに備えている、請求項１に記載の冷却ブランケット。
【請求項１５】
前記固定器具は、グロメットシステム、タイシステム、ボタンシステム、フックおよびループシステム、ジッパーシステム、ならびにそれらの組合せから成り立つグループから選択される、請求項１４に記載の冷却ブランケット。
【請求項１６】
前記哺乳動物に対して前記冷却ブランケットを安定させるように適合された安定化器具をさらに備えている、請求項１に記載の冷却ブランケット。
【請求項１７】
前記少なくとも１つのコンパートメントと連絡し、該コンパートメントが活性化されたかどうかを表示する温度計をさらに備えている、請求項１に記載の冷却ブランケット。
【請求項１８】
心臓病患者の生命支援のための使用説明書をさらに備えている、請求項１に記載の冷却ブランケット。
【請求項１９】
哺乳動物を冷却する冷却ブランケットを収容するためのケースであって、
中空ユニットと、
該中空ユニットに取外し可能に取り付けられた上部と、
該中空ユニットに取外し可能に取り付けられた下部と
を備え、
該冷却ブランケットは、
上部層と、
下部層と、
該上部層と該下部層との間に形成される少なくとも１つのコンパートメントであって、該少なくとも１つのコンパートメントは、混合時に吸熱性反応を生成するように適合される第１の試薬および第２の試薬を含む、コンパートメントと
を備えている、ケース。
【請求項２０】
前記冷却ブランケットを締めつけかつ活性化させるために前記ケースの回りに巻きつけるように適合される少なくとも１つのストラップをさらに備えている、請求項１９に記載のケース。
【請求項２１】
哺乳動物を冷却する冷却ブランケットと、
哺乳動物を冷却するために該冷却ブランケットを活性化するための使用説明書と
を備え、該冷却ブランケットは、
上部層と、
下部層と、
該上部層と該下部層との間に形成される少なくとも１つのコンパートメントであって、該少なくとも１つのコンパートメントは、混合時に吸熱性反応を生成するように適合される第１の試薬および第２の試薬を含む、コンパートメントとを備えている、キット。
【請求項２２】
冷却パック、水の容器、給水装置、およびそれらの組合せから成り立つグループから選択される追加の構成要素をさらに備えている、請求項２１に記載のキット。
【請求項２３】
前記冷却ブランケットを収容するケースをさらに備えている、請求項２１に記載のキット。
【発明の詳細な説明】
【技術分野】
【０００１】
本発明は、医療装置の分野に関する。特に本発明は、哺乳動物の体温を下げるために有用である冷却ブランケットを提供する。
【背景技術】
【０００２】
本明細書におけるすべての刊行物は、各個々の刊行物または特許出願が特にかつ個々に参考として援用されると指示される場合と同じ程度に、参考として援用される。以下の記述は、本発明を理解するのに有用であり得る情報を含む。本明細書に提供されるいかなる情報も、先行技術であったり、もしくは現在特許請求される本発明に関連したり、または特にまたは暗黙のうちに参照されるすべての刊行物が先行技術であったりすることは了承事項ではない。
【０００３】
人間または他の哺乳動物の体温を下げることは、臨床的に有益であり得る例が示されている。例えば、非特許文献１、非特許文献２を参照されたい。例えば、急性心筋梗塞すなわち「心臓発作」などの好ましくない心臓の事象中またはその後に患者の体温を下げることは、心臓および他の器官への損傷を減少させる結果となり得る。これは様々な生理的な過程により得るが、体を冷却することは、特定の体の機能を減退させ、従ってこのような心臓の事象が心臓および他の器官に対して有し得る潜在的な損傷を減少させると一般に信じられている。冷却が有益であると一般的に信じられる他の例もある。これは、例として、頭外傷、発作、熱発作、高熱（および一般的に熱維持）、発熱、卒中、新生児窒息、溺死、呼吸不全および敗血症の例を含む。例えば、非特許文献３、非特許文献４、非特許文献５、非特許文献６、非特許文献７、非特許文献８、非特許文献９、非特許文献１０、非特許文献１１、非特許文献１２、非特許文献１３、非特許文献１４、非特許文献１５、非特許文献１６、非特許文献１７、非特許文献１８、非特許文献１９、非特許文献２０、非特許文献２１、および非特許文献２２を参照されたい。
【０００４】
医療業界におけるこの信念にも関わらず、上記の知覚された利益に相応の体冷却を便利に行なうために用いられ得る医療器具はほとんどない。多数の市販の供給先から入手可能な各種構成の個々の冷却パックはこの目的のために用いられ得るが、急速で予測可能な方法でそのようなパックを相互接続する機構がなく、体表面全体に一貫した冷却を提供することは、少なくとも大いに不便である。これは、一連の冷却パックのバランスをとり、注意深く配置することが容易ではない状況の下での患者にこの形式の冷却を提供することが望ましい例において、特に問題がある。例として、この技術は、救急車において、かつ／または、患者が有害な心臓病の事象を最初に受けた場所（例えば、家、職場、車など）から、より広範な介護が提供され得る場所（例えば、病院または診療所）に患者を移動させるときの緊急医療環境において特に望ましい。そのような状況下において多数の冷却パックをバランスをとりかつ／または注意深く置くことは、実際的ではなく、台車付き担架もしくはストレッチャーまたはベッドの上にでさえ仰向けに横たわっている患者の下に一連の冷却パックを維持することは特に骨の折れる場合がある。
【０００５】
従って、上記の課題および潜在的な利益は人間および他の哺乳動物（すなわち、大形動物および小形動物の両方に関する獣医学環境において）に等しく適用するので、哺乳動物の体温を下げるための便利で可搬の装置の技術に対するニーズが存在する。
【非特許文献１】Ｓ．Ｂｅｒｎａｒｄら、「Ｔｒｅａｔｍｅｎｔ  ｏｆ  ｃｏｍａｔｏｓｅ  ｓｕｒｖｉｖｏｒｓ  ｏｆ  ｏｕｔ−ｏｆ−ｈｏｓｐｉｔａｌ  ｃａｒｄｉａｃ  ａｒｒｅｓｔ  ｗｉｔｈ  ｉｎｄｕｃｅｄ  ｈｙｐｏｔｈｅｒｍｉａ」、Ｎ．Ｅｎｇｌ．Ｊ．Ｍｅｄ．、２００２年、３４６（８）：ｐ．５５７−５６３
【非特許文献２】Ｄ．Ｍａｒｉｏｎら、「Ｔｒｅａｔｍｅｎｔ  ｏｆ  ｔｒａｕｍａｔｉｃ  ｂｒａｉｎ  ｉｎｊｕｒｙ  ｗｉｔｈ  ｍｏｄｅｒａｔｅ  ｈｙｐｏｔｈｅｒｍｉａ」，Ｎ．Ｅｎｇｌ．Ｊ．Ｍｅｄ．、２００２年、３４６（８）：ｐ．５５７−５６３
【非特許文献３】Ｚ−Ｊ  Ｚｈｅｎｇら、「Ｓｕｄｄｅｎ  ｃａｒｄｉａｃ  ｄｅａｔｈ  ｉｎ  ｔｈｅ  Ｕｎｉｔｅｄ  Ｓｔａｔｅｓ，１９８９  ｔｏ  １９９８」，Ｃｉｒｃ．、２００１年、１０４：ｐ．２１５８−２１６３
【非特許文献４】Ｉ．Ｇ．Ｊａｃｏｂｓら、「Ｔｈｅ  ｃｈａｉｎ  ｏｆ  ｓｕｒｖｉｖａｌ」，Ａｎｎ．Ｅｍｅｒｇ．Ｍｅｄ．、２００１年、３７：Ｓ５−Ｓ１６
【非特許文献５】Ｊ．Ｃ．Ｆｉｎｎら、「Ｏｕｔｃｏｍｅｓ  ｏｆ  ｏｕｔ−ｏｆ−ｈｏｓｐｉｔａｌ  ｃａｒｄｉａｃ  ａｒｒｅｓｔ  ｐａｔｉｅｎｔｓ  ｉｎ  Ｐｅｒｔｈ，Ｗｅｓｔｅｒｎ  Ａｕｓｔｒａｌｉａ」，Ｒｅｓｕｓｃｉｔａｔｉｏｎ、２００１年、５１：ｐ．２４７−２５５
【非特許文献６】Ｓ．Ａ．Ｂｅｒｎａｒｄ、「Ｏｕｔｃｏｍｅ  ｆｒｏｍ  ｐｒｅｈｏｓｐｉｔａｌ  ｃａｒｄｉａｃ  ａｒｒｅｓｔ  ｉｎ  Ｍｅｌｂｏｕｒｎｅ，Ａｕｓｔｒａｌｉａ」，Ｅｍｅｒｇ．Ｍｅｄ．、１９９８年、１０：ｐ．２５−２９
【非特許文献７】Ｋ．Ｌ．Ｓｍｉｔｈら、「Ｃａｒｄｉａｃ  ａｒｒｅｓｔｓ  ｔｒｅａｔｅｄ  ｂｙ  ａｍｂｕｌａｎｃｅ  ｐａｒａｍｅｄｉｃｓ  ａｎｄ  ｆｉｒｅ  ｆｉｇｈｔｅｒｓ」，Ｍｅｄ．Ｊ．Ａｕｓｔ．、２００２年、１７７：ｐ．３０５−３０９
【非特許文献８】Ｔｈｅ  Ｐｕｂｌｉｃ  Ａｃｃｅｓｓ  Ｄｅｆｉｂｒｉｌｌａｔｉｏｎ  Ｔｒｉａｌ  Ｉｎｖｅｓｔｉｇａｔｏｒｓ，「Ｐｕｂｌｉｃ−ａｃｃｅｓｓ  ｄｅｆｉｂｒｉｌｌａｔｉｏｎ  ａｎｄ  ｓｕｒｖｉｖａｌ  ａｆｔｅｒ  ｏｕｔ−ｏｆ−ｈｏｓｐｉｔａｌ  ｃａｒｄｉａｃ  ａｒｒｅｓｔ」，Ｎ．Ｅｎｇｌ．Ｊ．Ｍｅｄ．，２００４年、３５１：ｐ．６３７−６４６
【非特許文献９】Ｉ．Ｇ．Ｓｔｉｅｌｌら、「Ａｄｖａｎｃｅｄ  ｃａｒｄｉａｃ  ｌｉｆｅ  ｓｕｐｐｏｒｔ  ｉｎ  ｏｕｔ−ｏｆ−ｈｏｓｐｉｔａｌ  ｃａｒｄｉａｃ  ａｒｒｅｓｔ」，Ｎ．Ｅｎｇｌ．Ｊ．Ｍｅｄ．、２００４年、３５１：ｐ．６４７−６５６
【非特許文献１０】Ｃ．Ｍ．Ｂｏｏｔｈら、「Ｉｓ  ｔｈｉｓ  ｐａｔｉｅｎｔ  ｄｅａｄ，ｖｅｇｅｔａｔｉｖｅ，ｏｒ  ｓｅｖｅｒｅｌｙ  ｎｅｕｒｏｌｏｇｉｃａｌｌｙ  ｉｍｐａｉｒｅｄ？  Ａｓｓｅｓｓｉｎｇ  ｏｕｔｃｏｍｅ  ｆｏｒ  ｃｏｍａｔｏｓｅ  ｓｕｒｖｉｖｏｒｓ  ｏｆ  ｃａｒｄｉａｃ  ａｒｒｅｓｔ」，ＪＡＭＡ、２００４年、２９１：ｐ．８７０−８７９
【非特許文献１１】Ｊ．Ｐ．Ｗｉｌｌｉａｍｓｏｎら、「Ｎｅａｒ−ｄｒｏｗｎｉｎｇ  ｔｒｅａｔｅｄ  ｗｉｔｈ  ｔｈｅｒａｐｅｕｔｉｃ  ｈｙｐｏｔｈｅｒｍｉａ」，Ｍｅｄ．Ｊ．Ａｕｓｔ．、２００４年、１８１：ｐ．５００−５０１
【非特許文献１２】Ｓ．Ｂｅｒｎａｒｄら、「Ｉｎｄｕｃｅｄ  ｈｙｐｏｔｈｅｒｍｉａ  ｉｎ  ｃｒｉｔｉｃａｌ  ｃａｒｅ  ｍｅｄｉｃｉｎｅ：Ａ  ｒｅｖｉｅｗ」，Ｃｒｉｔ．Ｃａｒｅ  Ｍｅｄ．、２００３年、３１：ｐ．２０４１−２０５１
【非特許文献１３】Ｈｙｐｏｔｈｅｒｍｉａ  Ａｆｔｅｒ  Ｃａｒｄｉａｃ  Ａｒｒｅｓｔ  Ｓｔｕｄｙ  Ｇｒｏｕｐ、「Ｍｉｌｄ  ｔｈｅｒａｐｅｕｔｉｃ  ｈｙｐｏｔｈｅｒｍｉａ  ｔｏ  ｉｍｐｒｏｖｅ  ｔｈｅ  ｎｅｕｒｏｌｏｇｉｃａｌ  ｏｕｔｃｏｍｅ  ａｆｔｅｒ  ｃａｒｄｉａｃ  ａｒｒｅｓｔ」，Ｎ．Ｅｎｇｌ．Ｊ．Ｍｅｄ．、２００２年、３４６：ｐ．５４９−５５６
【非特許文献１４】Ｊ．Ｎｏｌａｎら、「Ｔｈｅｒａｐｅｕｔｉｃ  ｈｙｐｏｔｈｅｒｍｉａ  ａｆｔｅｒ  ｃａｒｄｉａｃ  ａｒｒｅｓｔ．Ａｎ  ａｄｖｉｓｏｒｙ  ｓｔａｔｅｍｅｎｔ  ｂｙ  ｔｈｅ  Ａｄｖａｎｃｅｄ  Ｌｉｆｅ  Ｓｕｐｐｏｒｔ  Ｔａｓｋ  Ｆｏｒｃｅ  ｏｆ  ｔｈｅ  Ｉｎｔｅｒｎａｔｉｏｎａｌ  Ｌｉａｉｓｏｎ  Ｃｏｍｍｉｔｔｅｅ  ｏｎ  Ｒｅｓｕｓｃｉｔａｔｉｏｎ」，Ｒｅｓｕｓｃｉｔａｔｉｏｎ、２００３年、５７：ｐ．２３１−２３５
【非特許文献１５】Ａ．Ｍｅｙｅｒｓら、「Ａｓｙｓｔｏｌｉｃ  ｃａｒｄｉａｃ  ａｒｒｅｓｔ  ｉｎ  Ｍｅｌｂｏｕｒｎｅ，Ａｕｓｔｒａｌｉａ」，Ｅｍｅｒｇ．Ｍｅｄ．、２００１年、１３：ｐ．１８６−１８９
【非特許文献１６】Ｓ．Ｂｅｒｎａｒｄら、「Ｉｎｄｕｃｅｄ  ｈｙｐｏｔｈｅｒｍｉａ  ｕｓｉｎｇ  ｌａｒｇｅ  ｖｏｌｕｍｅ，ｉｃｅ−ｃｏｌｄ  ｉｎｔｒａｖｅｎｏｕｓ  ｆｌｕｉｄ  ｉｎ  ｃｏｍａｔｏｓｅ  ｓｕｒｖｉｖｏｒｓ  ｏｆ  ｏｕｔ−ｏｆ−ｈｏｓｐｉｔａｌ  ｃａｒｄｉａｃ  ａｒｒｅｓｔ：ａ  ｐｒｅｌｉｍｉｎａｒｙ  ｒｅｐｏｒｔ」，Ｒｅｓｕｓｃｉｔａｔｉｏｎ、２００３年、５６：ｐ．９−１３
【非特許文献１７】Ｐ．Ｓａｆａｒら、「Ｔｈｅｒａｐｅｕｔｉｃ  ｈｙｐｏｔｈｅｒｍｉａ  ａｆｔｅｒ  ｃａｒｄｉａｃ  ａｒｒｅｓｔ」，Ｎ．Ｅｎｇｌ．Ｊ．Ｍｅｄ．、２００２年、３４６（８）：ｐ．６１２−６１３
【非特許文献１８】Ｐ．Ｓａｆａｒら、「Ｃｅｒｅｂｒａｌ  ｒｅｓｕｓｃｉｔａｔｉｏｎ  ｐｏｔｅｎｔｉａｌｓ  ｆｏｒ  ｃａｒｄｉａｃ  ａｒｒｅｓｔ」、Ｃｒｉｔ．Ｃａｒｅ  Ｍｅｄ．、２００２年、３０（４  Ｓｕｐｐ）：ｐ．Ｓ１４０−１４４
【非特許文献１９】Ｒ．Ｈｉｃｋｅｙら、「Ｄｅｌａｙｅｄ，ｓｐｏｎｔａｎｅｏｕｓ  ｈｙｐｏｔｈｅｒｍｉａ  ｒｅｄｕｃｅｓ  ｎｅｕｒｏｎａｌ  ｄａｍａｇｅ  ａｆｔｅｒ  ａｓｐｈｙｘｉａｌ  ｃａｒｄｉａｃ  ａｒｒｅｓｔ  ｉｎ  ｒａｔｓ」，Ｃｒｉｔ．Ｃａｒｅ  Ｍｅｄ．、２０００年、２８（１０）：ｐ．３５１１−３５１６
【非特許文献２０】Ｄ．Ｍａｒｉｏｎ，「Ｔｈｅｒａｐｅｕｔｉｃ  ｍｏｄｅｒａｔｅ  ｈｙｐｏｔｈｅｒｍｉａ  ａｎｄ  ｆｅｖｅｒ」，Ｃｕｒｒ．Ｐｈａｒｍａ．Ｄｅｓ．、２００１年、７：ｐ．１５３３−１５３６
【非特許文献２１】Ｍ．Ｔｈｏｒｅｓｅｎら、「Ｃａｒｄｉｏｖａｓｃｕｌａｒ  ｃｈａｎｇｅｓ  ｄｕｒｉｎｇ  ｍｉｌｄ  ｔｈｅｒａｐｅｕｔｉｃ  ｈｙｐｏｔｈｅｒｍｉａ  ａｎｄ  ｒｅｗａｒｍｉｎｇ  ｉｎ  ｉｎｆａｎｔｓ  ｗｉｔｈ  ｈｙｐｏｘｉｃ−ｉｓｃｈｅｍｉｃ  ｅｎｃｅｐｈａｌｏｐａｔｈｙ」，Ｐｅｄｉａｔｒｉｃｓ、２０００年、１０６（１）ｐ．９２−９９
【非特許文献２２】Ｄ．Ｇｉｏｒｇｉａｄｉｓら、「Ｅｎｄｏｖａｓｃｕｌａｒ  ｃｏｏｌｉｎｇ  ｆｏｒ  ｍｏｄｅｒａｔｅ  ｈｙｐｏｔｈｅｒｍｉａ  ｉｎ  ｐａｔｉｅｎｔｓ  ｗｉｔｈ  ａｃｕｔｅ  ｓｔｒｏｋｅ」，Ｓｔｒｏｋｅ、２００１年、３２：ｐ．２５５０−２５５３
【発明の開示】
【課題を解決するための手段】
【０００６】
（発明の概要）
本発明の以下の実施形態および本発明の局面は、典型的および例示的であり、範囲を限定するものではないことを意図される構成および方法に関連して記述ならびに例示される。
【０００７】
一実施形態において、本発明は、哺乳動物を冷却する冷却ブランケットを含み、冷却ブランケットは、上部層と、下部層と、上部層と下部層との間に形成される少なくとも１つのコンパートメントであって、少なくとも１つのコンパートメントは第１の試薬を含むコンパートメントとを含む。第１の試薬は、硝酸アンモニウム、尿素、水、およびそれらの組合せから成るグループから選択され得る。上部層および下部層は各々、少なくとも１つの下層（ｓｕｂ−ｌａｙｅｒ）を含み得る。冷却ブランケットは、少なくとも１つのコンパートメントと連絡して、コンパートメントが活性化されたかどうかを表示する温度計をさらに含み得る。少なくとも１つのコンパートメントは、冷却パックを含み得、冷却パックの取外し可能な導入を可能にする外部のクロージャーを含み得る。冷却ブランケットは、第２の試薬を保持するブラダ（ｂｌａｄｄｅｒ）を含み得、少なくとも１つのコンパートメントは、ブラダに隣接する冷却ブランケットの内部部分と流体伝達し、ブラダは所定量の外部の力が付加されると破裂するように適合され、第１の試薬および第２の試薬は混合時に吸熱性反応を生成するように適合される。少なくとも１つのコンパートメントは、第１の試薬を第２の試薬から分離させるシールを含み得、シールはコンパートメントに所定量の外部の力が付加されると破裂するように適合され、第１の試薬および第２の試薬は混合時に吸熱性反応を生成するように適合される。少なくとも１つのコンパートメントは第２の試薬を含む袋（ｓａｃｋ）を含み得、第１の試薬は袋の外に含まれ、袋はコンパートメントに所定量の外部の力が付加されると破裂するように適合され、第１の試薬および第２の試薬は混合時に吸熱性反応を生成するように適合される。冷却ブランケットは、第２の試薬を冷却ブランケットに導入することを可能にするように適合された入口弁をさらに含み、第１の試薬および第２の試薬は混合時に吸熱性反応を生成するように適合され、少なくとも１つのコンパートメントの各々は、一方向の弁によって少なくとも１つの他のコンパートメントに連結され、入口弁を介する第２の試薬の導入は、少なくとも１つのコンパートメントの各々において、第１の試薬を第２の試薬に混合させる。冷却ブランケットは、哺乳動物の肢または付属物が冷却ブランケットを通って延びることを可能にするように適合された少なくとも１つの開口部をさらに含み得る。冷却ブランケットは、哺乳動物の頭を覆うフードをさらに含み得る。冷却ブランケットは、冷却ブランケントを別の冷却ブランケットに結合するように適合された結合器具をさらに含み得る。結合器具は、グロメットシステム、タイ（ｔｉｅ）システム、ボタンシステム、フックおよびループシステム、ジッパーシステム、ならびにそれらの組合せから成り立つグループから選択され得る。冷却ブランケットは、哺乳動物の首、肢、または付属物において哺乳動物に冷却ブランケットを固定するように適合された固定器具をさらに含み得る。固定器具は、グロメットシステム、タイシステム、ボタンシステム、フックおよびループシステム、ジッパーシステム、ならびにそれらの組合せから成り立つグループから選択され得る。冷却ブランケットは、哺乳動物に対して冷却ブランケットを安定させるように適合された安定化器具をさらに含み得る。冷却ブランケットは、心臓病患者の生命支援のための使用説明書をさらに含み得る。
【０００８】
第２の実施形態において、本発明は、哺乳動物を冷却する冷却ブランケットを収容するためのケースであって、中空ユニットと、中空ユニットに取外し可能に取り付けられた上部と、中空ユニットに取外し可能に取り付けられた下部とを備えているケースを含み、冷却ブランケットは、上部層と、下部層と、上部層と下部層との間に形成される少なくとも１つのコンパートメントであって、混合時に吸熱性反応を生成するように適合される第１の試薬および第２の試薬を含むコンパートメントとを備えている。ケースは、冷却ブランケットを締めつけかつ活性化させるためにケースの回りに巻きつけるように適合される少なくとも１つのストラップをさらに含み得る。
【０００９】
第３の実施形態において、本発明は、哺乳動物を冷却する冷却ブランケットと、哺乳動物を冷却するために冷却ブランケットを活性化するための使用説明書とを備えているキットを含み、冷却ブランケットは、上部層と、下部層と、上部層と下部層との間に形成される少なくとも１つのコンパートメントであって、少なくとも１つのコンパートメントは、混合時に吸熱性反応を生成するように適合される第１の試薬および第２の試薬を含む、コンパートメントとを備えている。キットは、冷却パック、水の容器、給水装置、およびそれらの組合せから成り立つグループから選択される追加の構成要素をさらに含み得る。キットは、冷却ブランケットを収容するケースをさらに含み得る。
【００１０】
本発明の他の特徴および利点は、実施例として本発明の実施形態の様々な特徴を例示する添付の図面と関連して理解されると、以下の詳細な説明から明らかとなる。
【００１１】
典型的な実施形態は、参照図面において例示される。本明細書に開示される実施形態および図面は、制限的よりはむしろ例示的であると考えられるべきであることが意図される。
【発明を実施するための最良の形態】
【００１２】
（発明の説明）
本発明に引用されるすべての参考文献は、あたかも完全に述べられているように、その全体が参考として援用される。別に定義されない限り、本明細書において用いられる科学技術用語は、本発明の属する技術の当業者によって共通に理解される意味と同じ意味を有する。３月のＡｄｖａｎｃｅｄ  Ｏｒｇａｎｉｃ  Ｃｈｅｍｉｓｔｒｙ  Ｒｅａｃｔｉｏｎｓ，Ｍｅｃｈａｎｉｓｍｓ  ａｎｄ  Ｓｔｒｕｃｔｕｒｅ  第４版、Ｊ．Ｗｉｌｅｙ  ＆  Ｓｏｎｓ（Ｎｅｗ  Ｙｏｒｋ，ＮＹ  １９９２）は、本出願において用いられる術語の多くについて当業者に全般的な案内を提供する。
【００１３】
さらに当業者は、本発明の実施において用いられ得る、本明細書に記述される方法および材料に類似または均等である多くの方法および材料を認識する。実際に本発明は、記述された方法および材料に決して限定されない。本発明の目的のために、以下の術語が下記に定義される。
【００１４】
本発明の様々な実施形態は、健康管理医師および獣医によって容易に理解されるように、体を冷却することが望ましい任意の動物に対して用いられ得る。本明細書において用いられるように、術語「哺乳動物」は、従って、人間およびチンパンジーなどの非人間の霊長目ならびに他の類人猿およびサルの種；畜牛、ヒツジ、ブタ、ヤギおよび馬などの農場動物；イヌ、ネコなどの家庭哺乳動物；ネズミ（ｍｏｕｓｅ）、ネズミ（ｒａｔ）およびテンジクネズミなどの齧歯類動物を含む実験動物を含むがこれらに限定されない哺乳類の任意の構成員をいう。
【００１５】
本明細書において用いられるように、「試薬」は、吸熱性反応を生成する１つ以上の物質に反応し得る任意の物質をいう。適切な試薬は、硝酸アンモニウム（取扱いおよび保管を改善するためにコンディショニング剤でコーティングされ得る）、尿素、および水を含むが、これらに限定されない。試薬は、本発明のデバイスを用いる製造、構成、輸送または別のやり方の目的のために、任意の便利な状態または形態で存在し得る。例えば、試薬は、気体、液体、または固体の状態であり得、試薬は、結晶体、ペレット、ロッド、および／または他の化学的または機械的な形態として形成され得、試薬は、単独または互いに任意の適切な組合せで用いられ得、試薬は、塩形、純化形、および／または他の一般的に認められた添加剤（ａｄｄｉｔｉｖｅ）、成分、添加剤（ｅｘｃｉｐｉｅｎｔ）、防腐剤、担体などと組み合せて用いられ得る。
【００１６】
本発明は、哺乳動物の少なくとも胴（すなわち、頭、首、肢および付属物を除く体全体）を覆うように構成される冷却ブランケットに基づく。本発明の代替の実施形態において、冷却ブランケットは、頭、首、および／または１つ以上の肢などの体の追加の部分を覆うように構成され得る。本発明のなおもさらなる実施形態において、冷却ブランケットは、哺乳動物の胴を覆うように構成され得、一方、１つ以上の追加のブランケットは、冷却ブランケットに相互に連結され、胴のみならず、頭、首、および／または１つ以上の肢などの体の追加の部分も覆うように構成され得る。
【００１７】
冷却ブランケットは、その意図された目的、ならびにそれが冷却するように計画された特定の哺乳動物の大きさおよび解剖学的構造によって、任意の望ましい構成であり得る。例えば、平均サイズの人間のおとなを対象とする本発明に従う冷却ブランケットは、典型的には幅約１〜４フィート、長さ約２〜５フィートであり、これは人間の子供用に設計された冷却ブランケットより大きめである。また、特定の哺乳動物用の冷却ブランケットは、ウシの乳房（ｕｔｔｅｒ）またはネコの四肢などの特異な解剖学的構造に対応するために、本明細書に例示される形状（概して人間および霊長目のために設計される）とはいくらか異なる形状で構成され得る。同様に、様々な大きさの冷却ブランケットは、同じ種の他の哺乳動物に関して、平均の大きさ、形状、重量、胴回りなどを大幅に超えるかまたはそれに満たない哺乳動物のために容易に構成され得る。冷却ブランケットは、使い捨て可能に設計され得る。上記の考慮のすべては、十分に本発明の範囲内であると意図され、対応する設計変更は、同じことを説明するために余計な実験をすることなく当業者によって容易にインプリメントされ得る。
【００１８】
本発明の実施形態において、図１に例示されるように、冷却ブランケット１００は、外側層１１０、内側層１２０、上端部１３０、側端部１４０、１５０、および下端部１６０を含み得る。内側層１２０は、哺乳動物に最近位および／または接触する冷却ブランケット１００の表面であるように構成され、一方、外側層１１０は、外側面であるように構成される。冷却ブランケット１００は、隣接する層１１０および１２０によって、合せ目１８０に沿って１つ以上のコンパートメント１７０に分割され得る。
【００１９】
側端部１４０、１５０は、冷却ブランケット１００の他の部分より相対的に厚くなるように構成され得る。冷却ブランケット１００が一旦人間の上に置かれ、側端部１４０、１５０が人間の両側の腕の下に包まれるか、または冷却ブランケット１００全体を人間の下に置き、側端部１４０、１５０の上に腕をのせることによって、側端部１４０、１５０は、人間の腕の下に置かれるように適合され得る。
【００２０】
外側層１１０は、任意の都合のよい数の下層を含み得る。下層は、同じ材料または異なる材料から構成され得る。例えば、下層は柔軟なプラスチックから構成され、冷却ブランケット１００に柔軟性および弾力性を提供し得、一方、別の下層は断熱材料から構成され、使用時にシステム温度の調節を助け得る。特に適切な柔軟性あるプラスチックは、ポリエチレンテレフタル酸塩、高密度ポリエチレン、ポリ塩化ビニル、ビニル、低密度ポリエチレン、ポリプロピレン、ポリスチレン、樹脂（例えば、サーリンイオノマー樹脂）を含み得るが、それらに決して限定されない。複数の下層は同じ材料から構成され得る。例えば、外側層１１０は、１つ以上の種類の柔軟性あるプラスチックおよび／または１つ以上の種類の断熱材料の複数の下層を含み得る。
【００２１】
内側層１２０はまた、任意の都合のよい数の下層を含み得る。下層は、同じ材料または異なる材料から構成され得る。例えば、下層は、哺乳動物に直接接触するように（例えば、哺乳動物の皮膚に）置かれるのに適する材料から構成され得る。例えば、耐引裂性（ｎｏｎ−ｔｅａｒｉｎｇ）紙または綿は、哺乳動物のために快適な表面を提供し得、一方、外側層１１０に関する上記の下層に類似の下層は、さらにまたは代わりに内側層１２０において用いられ得る。複数の下層は同じ材料で構成される。例えば、内側層１２０は、１つ以上の耐引裂性紙もしくは綿の複数の下層、ならびに／または１つ以上の種類の柔軟性あるプラスチックおよび／または１つ以上の種類の断熱材料の複数の下層を含み得る。
【００２２】
各コンパートメント１７０は、本発明の代替の実施形態に関連して用いられる特定の試薬１０１、１０２によって、様々な異なる構成おいて１つ以上の試薬１０１、１０２を含み得る。各構成において、冷却ブランケット１００は、試薬１０１、１０２が互いに接触時に吸熱反応を生成するように事前に選択され、少なくとも１つの試薬１０１が少なくとも１つの他の試薬１０２に接触するように置かれるとき、活性化されるように適合される（すなわち、哺乳動物を冷却するために冷却温度を生成する）。様々な試薬の組合せ、例えば、サンプルとして硝酸アンモニウムおよび水などがこの目的のために用いられ得る。
【００２３】
従って、本発明の一実施形態において、図２に描かれるように各コンパートメント１７０は、市販され、外部の力の付加によって（それによってその中に含まれている２つの試薬１０１、１０２を混合させる）活性化され得る任意の適切な冷却パック１７５などの冷却パックを受け入れるように構成される。冷却ブランケット１００は、そのような冷却パック１７５が既にコンパートメント１７０内にある状態で製造され得る。コンパートメント１７０は、各々、冷却パック１７５が挿入および／または除去され得る開口部１７１を有するように構成され得る。これは、使用済の冷却パックが除去され新しくされ得、未使用の冷却パックが各コンパートメント１７０の中に挿入され得るので、冷却パック１００が再使用されることを可能にし得る。この実施形態において、各コンパートメント１７０は、さらに、１つ以上のグロメット、１つ以上のタイ、１つ以上のボタン、フックおよびループクロージャー、ジッパークロージャー、または、コンパートメント１７０の中に冷却パックを取外し可能に導入することを可能にする任意の他の類似のクロージャー（ｃｌｏｓｕｒｅ）などの外部のクロージャー９００を有するように構成され得る。
【００２４】
本発明の実施形態において、図３に描かれるように各コンパートメント１７０は、冷却ブランケット１００における複数のコンパートメント１７０を通る一方向の流体伝達を提供するネットワークを作るために、少なくとも１つの一方向弁２００を有するように構成される。一実施形態において、これは、冷却ブランケット１００において、すべてのコンパートメント１７０を通る一方向の流体伝達を提供し得る。この実施形態において、１つ以上の試薬１０１（例えば、粒状硝酸アンモニウム）は、一方向弁２００に適合された各コンパートメント１７０の中に事前にパッケージされ、一方、流体状（例えば、水）の別の試薬１０２は、入口弁２０１を介してブランケット１００に追加され得る。流体試薬１０２は、このように、コンパートメント１７０のネットワークを介して互いに流体伝達し、流れ得（一方向弁２００の一方向性のみのために一方向に）、それによって流体試薬１０２は、各コンパートメント１７０においてもう一方の試薬１０１と接触する。冷却ブランケット１００は、このように活性化され得る。
【００２５】
本発明の別の実施形態において、図４に描かれるように各コンパートメント１７０は、試薬１０１、１０２を互いに分離させるシール１７３を有するように構成され得る。外部の力によってコンパートメント１７０に所定量の圧力を加えると、シール１７３は、破裂するように構成され得、従って、２つの試薬１０１、１０２の混合、および従って、冷却ブランケット１００の活性化を可能にし得る。
【００２６】
本発明のさらに別の実施形態において、図５に描かれるように各コンパートメント１７０は、１つ以上の試薬１０２を含む袋（ｓａｃｋ）１７４を有するように構成され得る。袋１７４は、コンパートメント１７０の内面に機械的に付着され得るか、またはその中において自由に浮漂し得る。１つ以上の他の試薬１０１は、同じコンパートメント１７０における袋１７４の外において満たされ得る。外部の力によってコンパートメント１７０に所定量の圧力を加えると、袋１７４は、破裂するように構成され得、従って、２つの試薬１０１、１０２の混合、および従って、冷却ブランケット１００の活性化を可能にし得る。
【００２７】
本発明のさらに別の実施形態において、図６に描かれるように冷却ブランケット１００は、一実施形態において水であり得る、ある量の流体試薬１０２を保持するように構成されるブラダ１９０を含み得る。冷却ブランケット１００はまた、第２の試薬１０１が分散している一連のコンパートメント１７０を含み得、コンパートメント１７０はブラダ１９０に隣接する冷却ブランケット１００の内部部分１９５と流体伝達する。外部の力によってブラダ１９０に所定量の圧力を加えると、ブラダ１９０は、破裂するように構成され得、従って、ブラダ１９０に隣接する冷却ブランケット１００の内部部分１９５にブラダ１９０に含まれているある量の試薬１０２を放出し、それによってコンパートメント１７０における試薬１０１、１０２の混合、および従って、冷却ブランケット１００の活性化を可能にし得る。
【００２８】
当該分野の公知の技術によって、温度計が１つ以上のコンパートメント１７０に設置され得、コンパートメント１７０が活性化されたかどうかについて判定することを可能にする。低温の検出は、コンパートメント１７０がそのように活性化されることを示し得る。温度計は、例えば、Ｔｅｍｐａ−ＤＯＴＴＭ温度測定システム（Ｍｉｎｎｅｓｏｔａ  Ｍｉｎｉｎｇ  ＆  Ｍｆｇ．Ｃｏ．（３Ｍ）；Ｓｔ．Ｐａｕｌ，ＭＮから市販されている）であり得る。
【００２９】
図７に例示されるように、冷却ブランケット１００は、１つ以上の開口部１８０を含み得る。これは、哺乳動物の付属物が冷却ブランケット１００を通ることを可能にすることに有利であり得、開口部１８０は、従って、解剖学的に都合のよい位置に構成され得る。例えば、冷却ブランケット１００が人間の使用のために構成される場合、２つの開口部は、腕が冷却ブランケット１００を通ることを可能にするように含められ得、かつ／または１つの開口部１８０は、頭および首が冷却ブランケット１００を通ることを可能にするように含められ得る。他の実施形態（図示されていない）において、開口部１８０は、哺乳動物の他の肢および付属物（例えば、脚、尾、乳房）に対応するように含められ得る。なおもさらなる実施形態において、冷却ブランケット１００は、少なくとも部分的に哺乳動物の頭を覆うためのフード１８５を含み得る。フード１８５は、１つ以上のコンパートメント１７０を含み得、上記の技術に類似の技術によって哺乳動物の頭の冷却を可能にし得る。
【００３０】
代替の実施形態において、冷却ブランケットシステムは、それが哺乳動物の回りに部分的または全面的に巻き付けられ得るように構成され得る。図８に描かれるように、これは、単一の大きな一体成形の冷却ブランケットによって達成され得る。または、それは、図９に例示されるように、互いに機械的に固定された２つ以上の冷却ブランケット１００を含む冷却ブランケットシステムを構成することによって達成され得る。後者の実施形態において、２つ以上の冷却ブランケットは、結合器具３００によって互いに結合され得る。
【００３１】
また図９に描かれるように、結合器具３００は、グロメットシステム、タイシステム、ボタンシステム、フックおよびループシステム（例えば、Ｖｅｌｃｒｏ（登録商標）フックおよびループシステム）、ジッパーシステム、または当業者によって容易に明らかであり、余計な実験をすることなく本発明の代替の実施形態に関連して用いられ得る任意の他のシステムを含み得る。結合器具３００は、冷却ブランケットのコーナー、および／または、上端部１３０、側端部１４０、１５０または下端部１６０に沿った任意の位置などの冷却ブランケット１００上の任意の都合のよい位置において構成され得る。
【００３２】
本発明の別の実施形態において、図１０に描かれるように冷却ブランケット１００は、固定器具４００によって哺乳動物に固定され得る。固定器具４００は、首、腕、脚、または別の肢もしくは付属物において哺乳動物に冷却ブランケット１００を固定するために用いられ得る。固定器具４００は、グロメットシステム、タイシステム、ボタンシステム、フックおよびループシステム（例えば、Ｖｅｌｃｒｏ（登録商標）フックおよびループシステム）、ジッパーシステム、または当業者によって容易に明らかであり、余計な実験をすることなく本発明の代替の実施形態に関連して用いられ得る任意の他のシステムを含み得る。
【００３３】
本発明の別の実施形態において、図１１に描かれるように安定化器具５００は、哺乳動物がその前側または後側に伏して横たわっているとき、哺乳動物に対して冷却ブランケット１００を安定させるために含められ得る。安定化器具５００は、側端部１４０、１５０の１つまたは両方において冷却ブランケット１００から延びる１つまたは複数の材料を含み得る。使用時、安定化器具５００は、哺乳動物の下に押し込まれ得、哺乳動物が横たわっている面（例えば、ストレッチャー、台車付き担架、ベッド、床など）の下に押し込まれ得、または、背板（図示されていない）に機械的に付着され得る。
【００３４】
本発明の様々な実施形態は、１つ以上の結合器具、固定器具、および／または安定化器具を含む。これらの器具は、どの特定の組合せにおいても一緒に用いられる必要はなく、どの器具も冷却ブランケットに接続して単独で用いられ得る。
【００３５】
使用説明書５２０は、冷却ブランケット１００にプリントされ得る。特に適切であり得る使用説明書５２０の例は、Ａｄｖａｎｃｅ  Ｃａｒｄｉａｃ  Ｌｉｆｅ  Ｓｕｐｐｏｒｔ（「ＡＣＬＳ］）アルゴリズムおよび薬服用量を含むが、それらに限定されない。ＡＣＬＳアルゴリズムの種類は、Ａｓｙｓｔｏｌｅ、Ｂｒａｄｙｃａｒｄｉａ、Ｃａｒｄｉｏｖｅｒｓｉｏｎ、Ｐｕｌｓｅｌｅｓｓ  Ｅｌｅｃｔｒｉｃａｌ  Ａｃｔｉｖｉｔｙ（「ＰＥＡ」）、Ｔａｃｈｙｃａｒｄｉａ、Ｖｅｎｔｒｉｃｕｌａｒ  Ｆｉｂｒｉｌｌａｔｉｏｎ／Ｐｕｌｓｅｌｅｓｓ  Ｖｅｎｔｒｉｃｕｌａｒ  Ｔａｃｈｙｃａｒｄｉａ（「ＶＦ／ＰＶＴ」）のためのＡＣＬＳアルゴリズムを含むが、それらに限定されない。これは、健康管理医師が患者の有害な心臓病発作中に介護を提供することを支援し得る。
【００３６】
図１２に例示されるように、ケース６００は、冷却ブランケット１００を保持するために用いられ得る。ケース６００は、上部６２０および下部６３０を有する空洞ユニット６１０として構成され得る。ケース６００は、円筒形など任意の都合のよい形状で構成され得る。上部６２０および／または下部６３０は、取外し可能であり得る。上部６２０および／または下部６３０は、冷却ブランケット１００を活性化させるときに用いられ得る（例えば、冷却ブランケット１００を活性化させるために必要である、冷却ブランケット１００のコンパートメント１７０に外部の圧力を付加するために上部６２０および／または下部６３０を用いる）。一実施形態において、冷却ブランケット１００は、ケース６００内において保管され、巻かれ、折り畳まれる。ケース６００は、堅いかまたは柔らかい場合がある。一実施形態において、ケース６００はプラスチックから構成される。ケース６００は、十分な量の外部の力を付加することによって、冷却ブランケット１００を締めつけかつ活性化させるためにケースの回りに巻きつけられ得る１つ以上のストラップ６４０を有し得る。ストラップは、従って、既に活性化され即時使用の用意ができたケース６００から取り外され得る。
【００３７】
本発明はまた、哺乳動物の体温を下げるためのキットに関する。キットは、少なくとも１つの冷却ブランケットを含む、材料または構成要素の組立て品である。該発明のキットに構成される構成要素の正確な性質は、その意図される目的による。例えば、一部の実施形態は、大人の人間を治療する目的のために構成される。他の実施形態は、子供または幼児の人間を治療するために構成され得る。使用の説明書はキットの中に含められ得る。「使用の説明書」は、典型的には、冷却ブランケットを活性化するため、かつ／または、哺乳動物の体温を下げるためなどの所望の結果をもたらすためにキットの構成要素を用いるときに採用されるべき技術を記述する有形の形式を含む。オプションで、キットはまた、追加の冷却パック、水の容器、給水装置、ＡＣＬＳアルゴリズムおよび薬服用量、または、当業者によって容易に認識される他の有用な装備などの他の有用な構成要素を含む。
【００３８】
キットに集められた材料または構成要素は、それらの操作性および有用性を保つ任意の便利で適切な方法で保管されて、専門家に提供され得る。構成要素は、典型的には、適切なパッケージ材料に含まれる。本明細書において用いられるように、フレーズ「パッケージ材料」は、冷却ブランケットなどのキットの内容を収納するために用いられる１つ以上の物理的な構造をいう。パッケージ材料は、周知の方法によって組み立てられる。従って、例えば、パッケージは、冷却ブランケットを含むためのケースまたはバッグであり得る。パッケージ材料は、一般的に、キットおよび／またはその構成要素の内容および／または目的を示す外側ラベルを有する。
【００３９】
（例）
以下の例は、本請求される発明をより良く例示するために提供され、本発明の範囲を限定するものとして解釈されるべきではない。特定の材料が言及される範囲において、本実施例は、単に例示の目的のためであり、本発明を限定することは意図されない。当業者は、発明の能力を働かせることなく、かつ本発明の範囲から逸脱することなく、均等の構成要素を開発し得る。
【００４０】
冷却ブランケットは複数のコンパートメントを備えられ、その各々は、事前にパッケージされた量の硝酸アンモニウムを事前にパッケージされた量の水から分離するシールを含む。シールの各々を破裂させるために、外部の圧力が冷却ブランケットに付加され、水と硝酸アンモニムとを混合させ、それによって、冷却効果を作る吸熱反応を生成する。ブランケットは、伏して横たわる人間の上に置かれる。
【００４１】
上の記述は、本発明の特定の実施形態に言及するが、多数の修正が本発明の精神から逸脱することなくなされ得ることは当業者にとって容易に明らかである。添付の特許請求の範囲は、本発明の真の精神および範囲内に入るそのような修正を含むことが意図される。従って、現在開示されている実施形態は、すべての点において例示的であり、制限的ではなく、本発明の範囲は、上記の説明よりはむしろ添付の特許請求の範囲によって指示される。特許請求の範囲の均等物の意味および範囲内に入るすべての変更は、特許請求の範囲内に包含されることが意図される。
【図面の簡単な説明】
【００４２】
【図１】図１は、本発明の実施形態に従う冷却ブランケットを描く。冷却ブランケットは、一連のコンパートメントを含み、そのうちの１つは、冷却パックの取外し可能な導入を可能にする外部のクロージャーに対する開口部を有するように描かれる。
【図２】図２は、本発明の実施形態に従う冷却ブランケットを断面において描く。冷却ブランケットのコンパートメントは冷却パックを含む。
【図３】図３は、本発明の実施形態に従う一連の一方向の弁によって相互に接続されるコンパートメントのネットワークを有する冷却ブランケットを描く。冷却ブランケットはまた、入口弁を含む。
【図４】図４は、本発明の実施形態に従う、一連のコンパートメントを有し、その各々は２つの試薬を互いに分離させるシールを含む冷却ブランケットを描く。
【図５】図５は、本発明の実施形態に従う、一連のコンパートメントを有し、その各々は試薬を含んでいる袋を含む冷却ブランケットを描く。袋は、コンパートメント内で自由に浮漂するか、またはコンパートメント壁の内部部分に固定されるように描かれる。
【図６】図６は、本発明の実施形態に従う、ブラダおよびブラダに隣接するブランケットの内部部分と流体伝達する一連のコンパートメントを有する冷却ブランケットを描く。図６Ａは、冷却ブランケットの略図を描く。図６Ｂは、線Ａ−Ａに沿った断面における冷却ブランケットを描く。
【図７】図７は、本発明の実施形態に従う、哺乳動物の腕ならびに頭および首を収容するための開口部を有する冷却ブランケットを描く。図７Ａ、図７Ｂおよび図７Ｃは、哺乳動物の腕ならびに頭および首を収容するための開口部を有する冷却ブランケットの前面、後面、および側面の斜視図を描く。図７Ｄおよび図７Ｅは、哺乳動物の腕ならびに頭および首を収容するための開口部を有し、さらに哺乳動物の頭を覆うフードも含む冷却ブランケットの前面および側面の斜視図を描く。
【図８】図８は、本発明の実施形態に従う、哺乳動物の回りに包まれ得る単一の冷却ブランケットを描く。
【図９】図９は、本発明の実施形態に従う、互いに機械的に固定された複数の冷却ブランケットを含む冷却ブランケットシステムを描く。冷却ブランケットを互いに結合するために用いられ得る結合器具（タイシステム）が例示される。
【図１０】図１０は、本発明の実施形態に従う、哺乳動物にブランケットを固定するために用いられ得る固定器具（フックおよびループシステム）を有する冷却ブランケットを描く。
【図１１】図１１は、本発明の実施形態に従う、哺乳動物に対してブランケットを安定させるために用いられ得る２つの安定化器具を有する冷却ブランケットを描く。
【図１２】図１２は、本発明の実施形態に従う、冷却ブランケットを保持するためのケースを描く。
【図１】
2009521283.tif 000003
【図２】
2009521283.tif 000004
【図３】
2009521283.tif 000005
【図４】
2009521283.tif 000006
【図５】
2009521283.tif 000007
【図６】
2009521283.tif 000008
【図７】
2009521283.tif 000009
【図８】
2009521283.tif 000010
【図９】
2009521283.tif 000011
【図１０】
2009521283.tif 000012
【図１１】
2009521283.tif 000013
【図１２】
2009521283.tif 000014
【国際調査報告】
2009521283.tif 000015
2009521283.tif 000016